(57)【要約】【課題】ケース本体の隅角部の補強部材に衝撃吸収力を持たせて衝撃に対するプロテクター機能を強化したスーツケースを提供する。【解決手段】スーツケース本体１１ａの隅角部１１ｂに形成される凹部１１ｃに対してプロテクター用の補強部材１２が設けられるスーツケース１１である。補強部材は、隅角部の内側に沿って配設される受部材１３と、隅角部の外側の凹部に沿って配設される軟質材からなる衝撃吸収部材１４と、衝撃吸収部材の外側に沿って重ねて配設されるカバー部材１５とをネジ１６を螺着して取り付けてなる。【選択図】図５
2017118929.tif 000002
【特許請求の範囲】
【請求項１】
スーツケース本体の隅角部に対してプロテクター用の補強部材が設けられるスーツケースであって、
前記補強部材は、前記隅角部の内側に沿って配設される受部材と、前記隅角部の外側に沿って配設される軟質材からなる衝撃吸収部材と、該衝撃吸収部材の外側に沿って重ねて配設されるカバー部材とを固定具で取り付けてなること
を特徴とするスーツケース。
【請求項２】
スーツケース本体の隅角部に形成される凹部に対してプロテクター用の補強部材が設けられるスーツケースであって、
前記補強部材は、前記隅角部の内側に沿って配設される受部材と、前記隅角部の外側の前記凹部に沿って配設される軟質材からなる衝撃吸収部材と、該衝撃吸収部材の外側に沿って重ねて配設されるカバー部材とをネジを螺着して取り付けてなること
を特徴とするスーツケース。
【請求項３】
前記カバー部材の周縁に沿った部位、及び／又は前記カバー部材の適宜箇所に設けられた孔部は、前記衝撃吸収部材が外側に露出していること
を特徴とする請求項１又は２のいずれかに記載のスーツケース。
【請求項４】
前記衝撃吸収部材は、ウレタン材、シリコン材、ゴム材、又は軟質合成樹脂材であること
を特徴とする請求項１又は２のいずれかに記載のスーツケース。
【請求項５】
前記受部材には、前記ネジを螺入するネジ孔が形成され、前記衝撃吸収部材には、前記ネジが挿通する挿通孔が形成され、前記カバー部材の内側には、前記受部材側から螺入された前記ネジが螺着するネジ筒が形成されていること
を特徴とする請求項２に記載のスーツケース。
【発明の詳細な説明】
【技術分野】
【０００１】
本発明は、スーツケースに関するものであり、更に詳しくは、ケース本体の隅角部に補強部材を設けて、落下等の衝撃に対するプロテクター機能を強化したスーツケースに関するものである。
【背景技術】
【０００２】
従来のスーツケースとしては、実開平３−８７３１５号公報に開示された構成のものが知られている。このスーツケースは、ケース本体の外側の隅角部に対して、三面角状で隅角部に沿った形状の補強部材を、ネジ又はリベットで取り付けた構成である（特許文献１参照）。
【０００３】
補強部材は、プラスチック製、硬質プラスチック製あるいは金属製であり、また、補強部材の三面角状のうちの１箇所の部位には外側に突出したボスが形成されており、ボスが床面への着地時に脚部の役目を果たす。
【０００４】
このような構成のスーツケースは、隅角部に補強部材が設けられて二重構造に形成されるので、落下等の衝撃に対して隅角部が破損しにくいという利点がある。また、ボスが存在するので床面への着地時にも破損しにくいこととなる。
【先行技術文献】
【特許文献】
【０００５】
【特許文献１】実開平３−８７３１５号公報
【発明の概要】
【発明が解決しようとする課題】
【０００６】
この従来例のスーツケースにおいては、補強部材が硬質プラスチック製や金属製である場合は、これらの補強部材は硬いので落下の衝撃力が隅角部に直接的に伝達されることとなる。その結果、代えってケース本体に亀裂やひび割れが発生する原因になってしまい、結局のところプロテクター機能が劣るという問題点を有している。
【０００７】
また、補強部材がプラスチック製であってその強度が弱いときには、落下の衝撃を受けて補強部材自体が破損することがあり、その場合もプロテクター機能が劣るという問題点を有している。
【０００８】
従って、従来例におけるスーツケースにおいては、ケース本体の隅角部に設ける補強部材に強度を持たせると共に、衝撃力を吸収できる仕組みを備えることによって、プロテクター機能を強化することに解決しなければならない課題を有している。
【課題を解決するための手段】
【０００９】
前記従来例の課題を解決するための本発明の要旨は、スーツケース本体の隅角部に対してプロテクター用の補強部材が設けられるスーツケースであって、前記補強部材は、前記隅角部の内側に沿って配設される受部材と、前記隅角部の外側に沿って配設される軟質材からなる衝撃吸収部材と、該衝撃吸収部材の外側に沿って重ねて配設されるカバー部材とを固定具で取り付けてなることである。
【００１０】
また、本発明の要旨は、スーツケース本体の隅角部に形成される凹部に対してプロテクター用の補強部材が設けられるスーツケースであって、前記補強部材は、前記隅角部の内側に沿って配設される受部材と、前記隅角部の外側の前記凹部に沿って配設される軟質材からなる衝撃吸収部材と、該衝撃吸収部材の外側に沿って重ねて配設されるカバー部材とをネジを螺着して取り付けてなることである。
【００１１】
前記カバー部材の周縁に沿った部位、及び／又は前記カバー部材の適宜箇所に設けられた孔部は、前記衝撃吸収部材が外側に露出していること、；
前記衝撃吸収部材は、ウレタン材、シリコン材、ゴム材、又は軟質合成樹脂材であること、；
前記受部材には、前記ネジを螺入するネジ孔が形成され、前記衝撃吸収部材には、前記ネジが挿通する挿通孔が形成され、前記カバー部材の内側には、前記受部材側から螺入された前記ネジが螺着するネジ筒が形成されていること、；
を含むものである。
【発明の効果】
【００１２】
本発明に係るスーツケースによれば、補強部材には軟質材からなる衝撃吸収部材が存在するので、落下等の衝撃力が吸収されて、スーツケース本体には直接的に伝達されない。その結果、スーツケース本体に亀裂やひび割れ等が発生し難い構造となり、プロテクター機能が強化されて、スーツケースの損傷を防止する能力が向上する。
衝撃吸収部材の外側には被覆用のカバー部材が重ねて配設されるので、当該カバー部材が衝撃吸収部材を部分的に被覆することとなり、衝撃吸収部材自体の損傷を防止して補強部材の強度が高くなる。
隅角部の内側には受部材が配設されて、隅角部の外側の衝撃吸収部材とカバー部材とを固定具で取り付けるので、補強部材の取り付けが強固であるという種々の優れた効果を奏する。
【００１３】
また、スーツケース本体の隅角部に凹部が形成されて、当該凹部に沿って衝撃吸収部材が配設されるので、補強部材の取り付け状態が安定して強固である。
補強部材は、隅角部の内側に沿う受部材と、隅角部の外側の凹部に沿う衝撃吸収部材と、衝撃吸収部材の外側に重ねて沿うカバー部材とをネジを螺着して取り付けてなるので、その取り付け状態がさらに安定して強固でシッカリしたものであるという種々の優れた効果を奏する。
【００１４】
カバー部材の周縁に沿った部位、及び／又はカバー部材の適宜箇所に設けられた孔部は、衝撃吸収部材が外側に露出していることによって、露出した衝撃吸収部材（膨出部１４ａ及び膨出部１４ｂ）で衝撃を直接的に受けることができるので、衝撃吸収力がさらに大きくなる。
また、露出した衝撃吸収部材（膨出部１４ａ及び膨出部１４ｂ）の存在によって、衝撃吸収部材に対して重ねて配設されるカバー部材がズレないという種々の優れた効果を奏する。
【００１５】
衝撃吸収部材は、ウレタン材、シリコン材、ゴム材、又は軟質合成樹脂材であることによって、衝撃吸収力が良好であるという優れた効果を奏する。
【００１６】
受部材には、ネジを螺入するネジ孔が形成され、衝撃吸収部材には、ネジが挿通する挿通孔が形成され、カバー部材の内側には、受部材側から螺入されたネジが螺着するネジ筒が形成されていることによって、受部材と衝撃吸収部材とを隅角部を挟持した状態で重ね合わせて、衝撃吸収部材の外側にカバー部材を重ね合わせ、さらに受部材側から螺入したネジをネジ筒に螺着して取り付けるので、その取り付け状態が安定して強固でシッカリしたものであるという優れた効果を奏する。
【図面の簡単な説明】
【００１７】
【図１】本発明に係るスーツケース１１の斜視図である。
【図２】スーツケース１１の隅角部１１ｂを拡大して示した斜視図である。
【図３】スーツケース１１の隅角部１１ｂと、衝撃吸収部材１４とカバー部材１５とを分離して示す説明図である。
【図４】受部材１３と衝撃吸収部材１４とカバー部材１５とを分離して示す説明図である。
【図５】スーツケース１１を破断して示し、受部材１３と衝撃吸収部材１４とカバー部材１５とを分離して示す説明図である。
【発明を実施するための形態】
【００１８】
次に、本発明の実施の形態について図面を参照しながら説明する。まず、図１から図３において、符号１１はスーツケースを示し、このスーツケース１１は、図５に示すように、スーツケース本体１１ａの隅角部１１ｂに形成される凹部１１ｃに対してプロテクター用の補強部材１２が設けられる。
【００１９】
スーツケース１１は、図１に示すように、箱形のスーツケース本体１１ａと、スーツケース本体１１ａの上部に設けられる延出自在な把手１７と、スーツケース本体１１ａの側部に設けられる施錠部１８と、スーツケース本体１１ａの底部に設けられるキャスター１９とを備える。また、スーツケース本体１１ａの施錠部１８の近傍に沿って周縁枠２５が設けられる。
【００２０】
補強部材１２は、図５に示すように、隅角部１１ｂの内側に沿って配設される受部材１３と、隅角部１１ｂの外側の凹部１１ｃに沿って配設される衝撃吸収部材１４と、衝撃吸収部材１４の外側に沿って重ねて配設されるカバー部材１５とを、受部材１３側からネジ（固定具）１６を螺入して取り付けてなる構成である。
【００２１】
受部材１３は、プラスチック又は強化プラスチック等の合成樹脂材で形成されている。また、受部材１３は、図４及び図５に示すように、隅角部１１ｂの内側に沿う湾曲形状に形成されていると共に、周縁に沿って突条部１３ａが形成されている。そして、受部材１３は、４箇所のネジ孔２０が設けられており、このネジ孔２０にネジ１６を螺入する。
【００２２】
衝撃吸収部材１４は、ウレタン材、シリコン材、ゴム材、又は軟質合成樹脂材等の軟質材で形成されており、衝撃吸収力が良好である。また、衝撃吸収部材１４は、図４及び図５に示すように、隅角部１１ｂの外側の凹部１１ｃに沿う湾曲形状に形成されていると共に、周縁に沿って膨出部１４ａが形成されており、更に２箇所の長形状の膨出部１４ｂが形成されている。そして、衝撃吸収部材１４は、４箇所の挿通孔２１が設けられており、この挿通孔２１にネジ１６が挿通する。
【００２３】
カバー部材１５は、プラスチック又は強化プラスチック等の合成樹脂材で形成されている。また、カバー部材１５は、図４及び図５に示すように、衝撃吸収部材１４の外側に沿う湾曲形状に形成されていると共に、衝撃吸収部材１４よりもやや小さめに形成されている。そして、カバー部材１５は、２箇所の長孔（孔部）２２が形成されており、その内側には４箇所のネジ筒２３が設けられて、このネジ筒２３に受部材１３側から螺入されたネジ１６が螺着する。
【００２４】
このような各部材からなる補強部材１２は、図５に示すように、隅角部１１ｂの内側に沿う受部材１３と、隅角部１１ｂの外側の凹部１１ｃに沿う衝撃吸収部材１４と、衝撃吸収部材１４の外側に重ねて沿うカバー部材１５とを重畳して形成される。そして、カバー部材１５のネジ筒２３が、衝撃吸収部材１４の挿通孔２１を挿通すると共に、当該ネジ筒２３の先端部が、凹部１１ｃの挿通孔１１ｄ（図３参照）の中に挿入される。更に、受部材１３側からネジ孔２０に螺入したネジ１６がネジ筒２３に螺着することで、補強部材１２が隅角部１１ｂに取り付けられる。
【００２５】
このように、受部材１３と衝撃吸収部材１４とを隅角部１１ｂ（凹部１１ｃ）を挟持した状態で重ね合わせて、衝撃吸収部材１４の外側にカバー部材１５を重ね合わせ、さらに受部材１３側から螺入したネジ１６をネジ筒２３に螺着して取り付けるので、その取り付け状態が安定して強固でシッカリしたものである。
【００２６】
特に、衝撃吸収部材１４は、隅角部１１ｂの凹部１１ｃに沿って配設されるので、補強部材１２の取り付け状態が安定する。
【００２７】
また、図２示すように、カバー部材１５の周縁２４に沿って衝撃吸収部材１４の膨出部１４ａが外側に露出している。また、カバー部材１５の長孔２２には、衝撃吸収部材１４の膨出部１４ｂが外側に露出している。この露出した膨出部１４ａと膨出部１４ｂとで、衝撃を直接的に受けることもできるので、衝撃吸収力がさらに大きくなる。
更に、膨出部１４ａ及び膨出部１４ｂの存在によって、衝撃吸収部材１４に対して重ねて配設されるカバー部材１５がズレない。
【００２８】
そして、衝撃吸収部材１４の外側には被覆用のカバー部材１５が重ねて配設される。つまり、被覆用のカバー部材１５が衝撃吸収部材１４を部分的に被覆するので、衝撃吸収部材１４自体の損傷を防止して、結果的に補強部材１２の強度が高くなる。
【００２９】
以上のように構成されるスーツケース１１は、補強部材１２に軟質材からなる衝撃吸収部材１４が存在するので、落下等の衝撃力が吸収されて、スーツケース本体１１ａには直接的に伝達されない。その結果、スーツケース本体１１ａに亀裂やひび割れ等が発生し難い構造となり、プロテクター機能が強化されて、スーツケース１１の損傷を防止する能力が向上する。
【符号の説明】
【００３０】
１１  スーツケース
１１ａスーツケース本体
１１ｂ隅角部
１１ｃ凹部
１１ｄ挿通孔
１２  補強部材
１３  受部材
１３ａ突条部
１４  衝撃吸収部材
１４ａ、１４ｂ  膨出部
１５  カバー部材
１６  ネジ（固定具）
１７  把手
１８  施錠部
１９  キャスター
２０  ネジ孔
２１  挿通孔
２２  長孔（孔部）
２３  ネジ筒
２４  周縁
２５  周縁枠
【図１】
2017118929.tif 000003
【図２】
2017118929.tif 000004
【図３】
2017118929.tif 000005
【図４】
2017118929.tif 000006
【図５】
2017118929.tif 000007